(57)【要約】電源端子をバスバーに固定するための固定構造であって、固定基台２と、固定基台２に固定されたスタッドボルト１と、固定ナット３とを備え、スタッドボルト１は、その固定時に、回路基板８及び電源端子６に組み付けられたバスバー７を受けるように配設され、バスバー７及び電源端子６が固定ナット３により互いに電気接触した状態で固定される。【選択図】図２
2011505115.tif 000002
【特許請求の範囲】
【請求項１】
電源端子をバスバーに固定するための固定構造であって、
固定基台と、
前記固定基台に固定されたスタッドボルトと、
固定ナットと
を備え、
前記スタッドボルトは、その固定時に、回路基板及び電源端子に組み付けられたバスバーを受けるように配設され、
前記バスバー及び前記電源端子が前記固定ナットにより互いに電気接触した状態で固定される、
固定構造。
【請求項２】
その固定時に、前記固定ナット及び前記固定基台の間で前記スタッドボルトにはめ込まれるように配設されるワッシャを更に備える、
請求項１に記載の固定構造。
【請求項３】
前記固定ナットはフランジを有し、該フランジを介するトルクの伝達を防止するため、その固定時に、前記固定ナットの周りに自由に回転する、
請求項１に記載の固定構造。
【請求項４】
請求項１〜３のいずれか１項に記載の固定構造と、
ハウジング蓋体と、
を備える回路基板のハウジング。
【請求項５】
前記回路基板は、前記ハウジング蓋体内に配設されている、
請求項４に記載のハウジング。
【請求項６】
前記ハウジング蓋体は、前記固定基台に着脱自在である、
請求項４又は５に記載のハウジング。
【請求項７】
固定された前記バスバー及び前記電源端子を保護するための保護カバーを更に備える、
請求項４、５又は６に記載のハウジング。
【請求項８】
請求項４〜７のいずれか１項に記載のハウジングを備えるジャンクションボックス。
【請求項９】
請求項８に記載のジャンクションボックスを備える自動車。
【発明の詳細な説明】
【技術分野】
【０００１】
本発明は、回路基板に接続されたバスバーに電源装置を締め付けて固定する固定構造に関するものであり、特に、取付中及び取付後に回路基板と回路基板に組み込まれた電気部品に直接作用する応力もしくはトルクを最小にした状態で、バスバーに電源装置を締め付けて固定する固定構造に関するものである。
【背景技術】
【０００２】
高電力を伝送する用途において、電力は、回路基板に接続されたバスバーを介して該回路基板に供給されるのが一般的である。電源装置は通常、端子を有しており、電源装置をバスバーに固定するためにこの端子が使用される。その端子は、電源装置とバスバーの間に良好な電気接続を確保した状態でバスバーに固定されることが理想的である。この状態であれば、電源装置と、回路基板及びその回路基板に組み込まれた電気部品との間に良好な電気接続が確保される。
【０００３】
しかしながら、このような仕方で電源端子をバスバーに固定する際の問題の一つは、良好な電気接続を確実にするために固定構造を締め付けるときに、望ましくない応力もしくはトルクが、バスバーに作用し、このため、バスバーに接続された回路基板に組み込まれた電気部品にもその応力もしくはトルクが作用し、回路基板、はんだ継ぎ手または電気部品を損傷させる可能性があることである。
【発明の概要】
【発明が解決しようとする課題】
【０００４】
従って、本発明の目的は、良好で信頼性があり、しかも安全な接続を確実にしながらも、応力もしくはトルクをバスバー、回路基板または回路基板に組み込まれた電気部品に直接に伝えることのない固定構造を提供することである。
【課題を解決するための手段】
【０００５】
本発明によると、電源端子をバスバーに固定するための固定構造であって、固定基台と、前記固定基台に固定されたスタッドボルトと、固定ナットとを備え、前記スタッドボルトは、その固定時に、回路基板及び電源端子に組み付けられたバスバーを受けるように配設され、前記バスバー及び前記電源端子が前記固定ナットにより互いに電気接触した状態で固定される、固定構造が提供されている。
【発明の効果】
【０００６】
本発明は、バスバー又は回路基板に取り付けられていない別体のスタッドボルト上にバスバー及び電源端子の双方を固定することによって、電源端子をバスバーに固定するときに、応力もしくはトルクがバスバーに、延いては回路基板に直接に作用する問題を克服している。
【０００７】
別体のスタッドボルト上にバスバー及び電源端子の双方を固定することにより、固定ナットの締付け動作中にスタッドボルトに加えられるどんな応力もしくはトルクもバスバー、回路基板又は回路基板に組み付けられた電気部品に直接に作用することがない。
【図面の簡単な説明】
【０００８】
【図１】本発明の実施形態の固定構造における固定基台に固定されたスタッドボルトを示す図である。
【図２】本発明の実施形態の固定構造における互いに固定されたバスバー及び電源端子を示す破断図である。
【図３】本発明の実施形態の固定構造の分解図である。
【図４】本発明の実施形態の固定構造の固定された後の斜視図である。
【発明を実施するための形態】
【０００９】
次に、本発明の実施形態について添付図面を参照して説明する。
【００１０】
本発明は、特に、回路基板８に接続されたバスバー７に電源装置６を固定するための固定構造に関するものである。特に、本発明は、応力もしくはトルクをバスバー７に、又はそれに接続されている回路基板８に直接作用させることなく、バスバー７に電源端子６を固定するための固定構造を提供することである。
【００１１】
本発明の一実施例において、固定構造は、回路基板８を保持するためのハウジングを含んでいる。ハウジングは、固定基台２に対して着脱自在のハウジング蓋体４と固定基台２とを更に備えている。ハウジング蓋体４内に配設された回路基板８は、バスバー７に接続されており、少なくともその一部はハウジング蓋体４の外部に露出されていることが好ましい。
【００１２】
スタッドボルト１は、固定基台２内に一体化されていて、理想的には、動くことができないように強固に固定基台２に固定されている。このように実現する方法の一つは、スタッドボルトを固定するべく、一体射出成形サイクルでスタッドボルト１の周囲をプラスチック材料によってモールドすることが挙げられる。
【００１３】
スタッドボルト１及び回路基板８は、ハウジング蓋体４が固定基台２にはめ込まれるときに該スタッドボルト１がバスバー７に設けられた穴５を通り抜けるようにバスバー７がスタッドボルト１に位置合わせされて、それぞれ固定基台２及びハウジング蓋体４に配設されている。
【００１４】
電源装置は電源端子６を有するのが理想的である。電源端子６は、バスバー７の上に積層するようにスタッドボルト１上にはめ込まれる。こうして、電源端子６は、バスバー７との電気接点を形成される。その後、固定ナット３がスタッドボルト１にはめ込まれると共に電源端子６に対して締め付けられ、それにより電源端子６をバスバー７に、延いては固定基台２に固定する。
【００１５】
図２に示された固定ナット３は、締め付けられたときに応力が分散しやすくするフランジを有している。しかしながら、例えばワッシャ（図示せず）のような同様の手段も必要に応じて固定ナット３の直下でスタッドボルト１に設けられてもよい。
【００１６】
本発明の構成によると、固定ナット３を締め付ける際に生じるどんなトルクもスタッドボルト１が固定されている固定基台２にスタッドボルト１を介して伝えられる。従って、直接的な応力もしくはトルクはバスバー７、回路基板８、又は回路基板に組み付けられたコンポーネントに何ら作用することはない。
【００１７】
バスバー７及び電源端子６を保護するため、例えばゴム又は同様のものから製作される保護カバー９もまた設けることができる。
【００１８】
本発明の固定構造によれば、バスバー７及び電源端子６を互いに固定するときに作用していた応力及びトルクにより従来生じていたハンダ継ぎ手の破砕又はＰＣＢ銅トレース断片(PCB copper trace fractures)の発生を減少することができる。この結果として、回路基板８の信頼性が改善されることという効果を奏する。
【００１９】
また、本発明によれば、固定ナット３に加えられる締付けトルクを大きくすることができ、従って、電源端子６とバスバー７との間をより確実で良好な接続を可能とし、その結果、接続両端間の電圧降下の低下、延いては温度上昇の低下を実現できるという効果を奏する。
【図１】
2011505115.tif 000003
【図２】
2011505115.tif 000004
【図３】
2011505115.tif 000005
【図４】
2011505115.tif 000006
【国際調査報告】
2011505115.tif 000007
2011505115.tif 000008